(57)【要約】【課題】ユーザーの体調に応じて、記録紙に形成された画像を補正する。【解決手段】画像形成装置１０は、画像を補正する画像処理部２６と、画像を記録紙に形成する画像形成部１２と、ユーザーにより操作されて、画像形成部１２による画像形成の開始の指示を入力する操作部２２と、操作部２２に設けられて、該操作部２２を操作しているユーザーの血中酸素濃度を検出するバイタルセンサー２７と、画像形成の開始の指示が操作部２２で入力されると、バイタルセンサー２７により検出されたユーザーの血中酸素濃度に応じた画像の補正を画像処理部２６により行わせて、画像形成部１２により該画像を記録紙に形成させる制御部３１と、を備える。【選択図】図２
2020166039.tif 000002
【特許請求の範囲】
【請求項１】
画像を補正する画像処理部と、
前記画像を記録紙に形成する画像形成部と、
ユーザーにより操作されて、前記画像形成部による画像形成の開始の指示を入力する操作部と、
前記操作部に設けられて、該操作部を操作しているユーザーの血中酸素濃度を検出するバイタルセンサーと、
前記画像形成部による画像形成の開始の指示が前記操作部で入力されると、前記バイタルセンサーにより検出されたユーザーの血中酸素濃度に応じた画像の補正を前記画像処理部により行わせて、前記画像形成部により該画像を記録紙に形成させる制御部と、を備える画像形成装置。
【請求項２】
ユーザーの識別情報を入力する入力部と、
記憶部と、を更に備え、
前記制御部は、前記入力部を通じてユーザーの識別情報が入力されて、前記バイタルセンサーにより前記ユーザーの血中酸素濃度が検出される度に、前記ユーザーの血中酸素濃度を該ユーザーの識別情報に対応付けて前記記憶部に記憶させておき、前記入力部を通じてユーザーの識別情報が再び入力されて、前記バイタルセンサーにより該ユーザーの血中酸素濃度が再び検出されたときに、前記再び入力されたユーザーの識別情報に対応付けられている該ユーザーの血中酸素濃度を前記記憶部から読み出して、該読み出したユーザーの血中酸素濃度の平均値を算出し、前記再び検出された血中酸素濃度と前記平均値を比較して、該比較結果に応じた画像の補正を前記画像処理部により行わせる請求項１に記載の画像形成装置。
【請求項３】
ユーザーの識別情報を入力する入力部と、
記憶部と、を更に備え、
前記制御部は、前記入力部を通じてユーザーの識別情報が入力されて、前記バイタルセンサーにより前記ユーザーの血中酸素濃度が検出される度に、前記ユーザーの血中酸素濃度を該ユーザーの識別情報に対応付けて前記記憶部に記憶させておき、前記入力部を通じてユーザーの識別情報が再び入力されて、前記バイタルセンサーにより該ユーザーの血中酸素濃度が再び検出されたときに、前記再び入力されたユーザーの識別情報に対応付けられている該ユーザーの血中酸素濃度を前記記憶部から読み出して、該読み出したユーザーの血中酸素濃度及び前記再び検出された血中酸素濃度の時系列の変化に応じた画像の補正を前記画像処理部により行わせる請求項１に記載の画像形成装置。
【請求項４】
ユーザーの年齢又は識別情報を入力する入力部を更に備え、
前記制御部は、前記入力部を通じてユーザーの年齢又は識別情報が入力されて、前記バイタルセンサーにより前記ユーザーの血中酸素濃度が検出されると、前記検出された血中酸素濃度と前記入力されたユーザーの年齢又は該入力されたユーザーの識別情報に予め対応付けられた年齢に応じた画像の補正を前記画像処理部により行わせる請求項１に記載の画像形成装置。
【請求項５】
前記入力部は、前記ユーザーの識別情報として該ユーザーの指紋を検出して入力する指紋センサーである請求項１乃至請求項４のいずれか１つに記載の画像形成装置。
【請求項６】
前記画像処理部による画像の補正は、該画像の色相、明度、又は彩度の補正である請求項１乃至請求項５のいずれか１つに記載の画像形成装置。
【請求項７】
前記画像処理部による画像の補正は、該画像のサイズの補正である請求項１乃至請求項５のいずれか１つに記載の画像形成装置。
【請求項８】
表示部を更に備え、
前記制御部は、前記画像処理部による画像の補正を実施するか否かを問う問い合わせメッセージを前記表示部に表示させ、前記操作部の操作により補正の実施が指示された場合に、前記画像処理部による画像の補正を実施する請求項１乃至請求項７のいずれか１つに記載の画像形成装置。
【請求項９】
表示部を更に備え、
前記制御部は、前記バイタルセンサーにより検出されたユーザーの血中酸素濃度に対応する警告メッセージを前記表示部に表示させる請求項１乃至請求項８のいずれか１つに記載の画像形成装置。
【請求項１０】
表示部を更に備え、
前記制御部は、前記バイタルセンサーにより検出されたユーザーの血中酸素濃度に応じて前記表示部に表示されている画像を補正する請求項１乃至請求項９のいずれか１つに記載の画像形成装置。
【発明の詳細な説明】
【技術分野】
【０００１】
本発明は、原稿の画像を記録紙に形成する画像形成装置に関し、特にユーザーの血中酸素濃度を検出して、この血中酸素濃度に応じて記録紙に形成される画像を補正する技術に関する。
【背景技術】
【０００２】
画像形成装置では、ユーザーがスタートキーを操作すると、画像読取部が原稿の画像を読取って、画像形成部が該原稿の画像を記録紙に形成し、この記録紙がトレイに排出される。また、特許文献１に記載の画像形成装置では、画像処理に関するユーザーの接触操作を受け付けるとともに、接触操作を行うユーザーの生体情報を検出するＵＩ処理部を備え、ユーザーの接触操作をＵＩ処理部が受け付けたときに、そのユーザーの生体情報をＵＩ処理部で検出して収集できるようにしている。
【先行技術文献】
【特許文献】
【０００３】
【特許文献１】特開２０１６−０２０９３３号公報
【発明の概要】
【発明が解決しようとする課題】
【０００４】
ここで、ユーザーの体調に応じて、記録紙に形成された画像の色彩及びサイズなどを調節することが考えられる。例えば、ユーザーが疲れているときには、画像の色彩を穏やかなものにしたり、画像のサイズを大きくしたりするのが望ましい。しかしながら、特許文献１では、ユーザーの接触操作をＵＩ処理部が受け付けたときに、そのユーザーの生体情報をＵＩ処理部で検出して収集しているものの、この収集したユーザーの生体情報に応じて画像の色彩及びサイズなどを調節しておらず、その示唆もない。
【０００５】
本発明は、上記の事情に鑑みなされたものであり、ユーザーの体調に応じて、記録紙に形成された画像を補正することを目的とする。
【課題を解決するための手段】
【０００６】
本発明の一局面にかかる画像形成装置は、画像を補正する画像処理部と、前記画像を記録紙に形成する画像形成部と、ユーザーにより操作されて、前記画像形成部による画像形成の開始の指示を入力する操作部と、前記操作部に設けられて、該操作部を操作しているユーザーの血中酸素濃度を検出するバイタルセンサーと、前記画像形成部による画像形成の開始の指示が前記操作部で入力されると、前記バイタルセンサーにより検出されたユーザーの血中酸素濃度に応じた画像の補正を前記画像処理部により行わせて、前記画像形成部により該画像を記録紙に形成させる制御部と、を備えるものである。
【発明の効果】
【０００７】
本発明によれば、ユーザーの体調に応じて、記録紙に形成された画像を補正することができる。
【図面の簡単な説明】
【０００８】
【図１】本発明の一実施形態にかかる画像形成装置を示す断面図である。
【図２】本実施形態の画像形成装置の主要内部構成を示すブロック図である。
【図３】ユーザーの血中酸素濃度を検出して、この血中酸素濃度に応じて記録紙に形成される画像を補正するための処理手順を示すフローチャートである。
【図４】画像形成装置における表示部に表示された確認画面を示す図である。
【発明を実施するための形態】
【０００９】
以下、本発明の実施形態について図面を参照して説明する。
【００１０】
図１は、本発明の一実施形態にかかる画像形成装置を示す断面図である。図１に示すように本実施形態の画像形成装置１０は、例えばコピー機能、プリンター機能、ファクシミリ機能のような複数の機能を兼ね備えたＭＦＰ（複合機）である。この画像形成装置１０は、画像読取部１１と、画像形成部１２とを備えている。
【００１１】
画像読取部１１は、原稿の画像を光学的に読み取る撮像素子を有しており、この撮像素子のアナログ出力がデジタル信号に変換されて、原稿の画像を示す画像データが生成される。
【００１２】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１３】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１４】
次に、図２は、本実施形態の画像形成装置１０の主要内部構成を示すブロック図である。図２に示すように本実施形態の画像形成装置１０は、画像読取部１１と、画像形成部１２と、表示部２１と、操作部２２と、タッチパネル２３と、画像メモリー２５と、画像処理部２６と、バイタルセンサー２７と、記憶部２８と、制御ユニット２９とを備えている。これらの構成要素は、互いにバスを通じてデータ又は信号の送受信が可能とされている。
【００１５】
表示部２１は、液晶ディスプレイ（ＬＣＤ：Liquid Crystal Display）や有機ＥＬ（ＯＬＥＤ：Organic Light-Emitting Diode）ディスプレイなどから構成される。
【００１６】
操作部２２は、テンキー、決定キー、スタートキーなどの物理キーを備えている。
【００１７】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１などに出力する。このタッチパネル２３は、操作部２２と共に表示部２１の画面に対するユーザー操作が入力される操作部としての役割を果たす。
【００１８】
画像メモリー２５には、画像読取部１１により読取られた原稿の画像を示す画像データが記憶される。画像処理部２６は、画像メモリー２５内の画像データに対して、シェーディング補正などの様々な画像処理を施す。
【００１９】
バイタルセンサー２７は、例えばパルスオキシメーターであって、操作部２２のスタートキーの下側に重ねて設けられている。スタートキーのキーキャップは、赤外線及び赤色光を透過する材質からなる。このバイタルセンサー２７は、赤外線及び赤色光を、スタートキーのキーキャップを介して該スタートキーを押えるユーザーの指先に照射するそれぞれの発光部と、該ユーザーの指先で反射された赤外線及び赤色光を、キーキャップを介して受光する受光部とを備え、受光した赤外線及び赤色光に対応するそれぞれの検出信号を受光部から制御部３１に出力する。
【００２０】
記憶部２８は、ＳＳＤ（Solid State Drive）、ＨＤＤ（Hard Disk Drive）などの大容量の記憶装置であって、各種のアプリケーションプログラムや種々のデータを記憶している。
【００２１】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２２】
制御部３１は、画像形成装置１０を統括的に制御する。制御ユニット２９は、画像読取部１１、画像形成部１２、表示部２１、操作部２２、タッチパネル２３、画像メモリー２５、画像処理部２６、バイタルセンサー２７、及び記憶部２８などと接続されている。制御部３１は、これらの構成要素の動作制御や、該各構成要素との間での信号またはデータの送受信を行う。
【００２３】
制御部３１は、画像形成装置１０による画像形成に必要な各種の処理などを実行する処理部としての役割を果たす。また、制御部３１は、タッチパネル２３から出力される検知信号あるいは操作部２２の物理キーの操作に基づき、ユーザーにより入力された操作指示を受け付ける。更に、制御部３１は、表示部２１の表示動作を制御する機能を有する。
【００２４】
また、制御部３１は、上記のようなバイタルセンサー２７の受光部から出力された赤外線及び赤色光に対応するそれぞれの検出信号を入力し、これらの検出信号に基づき、操作部２２のスタートキーを押えているユーザーの指先の血中酸素濃度を算出する。
【００２５】
このような構成の画像形成装置１０において、ユーザーは、操作部２２又はタッチパネル２３を操作して、自己の識別情報ＩＤを入力する。制御部３１は、その識別情報ＩＤを認証すると、該識別情報ＩＤのユーザーに対して該画像形成装置１０の使用を許可する。そして、ユーザーが、原稿を画像読取部１１にセットし、操作部２２のスタートキーを操作して、コピーの実行を指示すると、制御部３１は、画像読取部１１により原稿の画像を読取らせ、該原稿の画像を示す画像データを画像メモリー２５に記憶させる。画像処理部２６は、画像データに対して各種の処理を施す。画像形成部１２は、画像データを画像メモリー２５から入力して、該画像データによって示される原稿の画像を記録紙に形成する。
【００２６】
一方、制御部３１は、スタートキーが操作される度に、バイタルセンサー２７の受光部から出力された赤外線及び赤色光に対応するそれぞれの検出信号に基づき、スタートキーを押さえているユーザーの指先の血中酸素濃度を算出して、この血中酸素濃度を該ユーザーの識別情報ＩＤに対応付けて記憶部２８に記憶させている。そして、制御部３１は、操作部２２のスタートキーが再び操作されて、バイタルセンサー２７の検出信号に基づきスタートキーを押えているユーザーの指先の血中酸素濃度を算出すると、ユーザーの識別情報ＩＤに対応付けられている以前の血中酸素濃度を記憶部２８から読み出して、以前の血中酸素濃度の平均値を算出し、今回のスタートキーの操作時に算出した血中酸素濃度とその平均値を比較して、この比較結果に応じた画像データの補正を画像処理部２６に指示する。画像処理部２６は、画像メモリー２５内の画像データに対してその比較結果に応じた補正を施す。例えば、今回のスタートキーの操作時に算出した血中酸素濃度が平均値よりも低くい場合は、ユーザーの体調が低下していることから、画像処理部２６による画像データの補正により、該画像データによって示される画像の色相、明度、又は彩度を制限して、該画像を穏やかな印象のものとしたり、あるいは該画像データによって示される画像のサイズを大きくして、該画像を見易くする。
【００２７】
従って、画像形成部１２により記録紙に形成された画像は、スタートキーを押えたユーザーの血中酸素濃度に応じて補正されたものとなる。
【００２８】
次に、そのようにユーザーの血中酸素濃度を検出して、この血中酸素濃度に応じて記録紙に形成される画像を補正するための処理手順を、図３に示すフローチャートなどを参照して詳細に説明する。
【００２９】
まず、ユーザーは、画像形成装置１０の操作部２２又はタッチパネル２３を操作して、自己の識別情報ＩＤを入力する。画像形成装置１０では、ユーザーの識別情報ＩＤが入力されると、制御部３１は、ユーザーの識別情報ＩＤを認証して、該ユーザーに対して該画像形成装置１０の使用を許可する（Ｓ１０１）。
【００３０】
続いて、ユーザーは、原稿を画像読取部１１にセットし、操作部２２のスタートキーを操作して、コピーの実行を指示する。制御部３１は、スタートキーの操作を受け付けて（Ｓ１０２）、画像読取部１１により原稿の画像を読取らせ、該原稿の画像を示す画像データを画像メモリー２５に記憶させる（Ｓ１０３）。
【００３１】
同時に、制御部３１は、バイタルセンサー２７の受光部から出力された赤外線及び赤色光に対応するそれぞれの検出信号に基づき、スタートキーを押さえているユーザーの指先の血中酸素濃度を算出する（Ｓ１０４）。また、制御部３１は、Ｓ１０１で認証したユーザーの識別情報ＩＤに対応付けられている以前の血中酸素濃度を記憶部２８から読み出して、以前の血中酸素濃度の平均値を算出する（Ｓ１０５）。
【００３２】
次に、制御部３１は、図４に示すような確認画面Ｇ１を表示部２１に表示させる（Ｓ１０６）。この図４に示す確認画面Ｇ１には、画像の補正を実施するか否かを問い合わせるメッセージＭが表示されると共に、ＯＫキーＫ１１及びＮＧキーＫ１２が表示されている。ユーザーは、確認画面Ｇ１のメッセージＭを見て、ＯＫキーＫ１１又はＮＧキーＫ１２にタッチ操作する。
【００３３】
例えば、ユーザーが画像の補正の実施を指示するためにＯＫキーＫ１１にタッチ操作すると、制御部３１は、タッチパネル２３を通じて、画像補正の実施指示を受け付ける（Ｓ１０７「ＯＫ」）。この場合、制御部３１は、Ｓ１０４で算出した血中酸素濃度とＳ１０５で算出した平均値を比較して、その比較結果に応じた画像データの補正を画像処理部２６に指示する（Ｓ１０８）。画像処理部２６は、画像メモリー２５内の画像データに対してその比較結果に応じた補正を施す（Ｓ１０９）。画像形成部１２は、画像メモリー２５内の画像データによって示される原稿の画像を記録紙に形成させる（Ｓ１１０）。例えば、Ｓ１０４で算出した血中酸素濃度がＳ１０５で算出した平均値よりも低くい場合、画像処理部２６は、画像データを補正して、該画像データによって示される画像が穏やかな印象のものとし、あるいは該画像のサイズを大きくする。当該補正後の画像が記録紙に記録される。
【００３４】
この後、制御部３１は、Ｓ１０４で算出した血中酸素濃度をＳ１０１で認証したユーザーの識別情報ＩＤに対応付けて記憶部２８に追加して記憶させ、該ユーザーの識別情報ＩＤに対応付けられている血中酸素濃度を更新する（Ｓ１１１）。
【００３５】
また、ユーザーがＮＧキーＫ１２にタッチ操作すると、制御部３１は、タッチパネル２３を通じて、画像補正を実施しない指示を受け付け（Ｓ１０７「ＮＧ」）、Ｓ１０８、Ｓ１０９の処理を行うことなく、よって画像処理部２６による上記比較結果に応じた補正を画像メモリー２５内の画像データに施すことなく、該画像データによって示される原稿の画像を記録紙に形成させる（Ｓ１１２）。
【００３６】
このように本実施形態では、操作部２２のスタートキーの操作に際し、バイタルセンサー２７の検出信号に基づき、スタートキーを押えているユーザーの指先の血中酸素濃度を算出し、また該ユーザーの以前の血中酸素濃度の平均値を算出し、今回のスタートキーの操作時に算出した血中酸素濃度とその平均値を比較して、この比較結果に応じた補正を画像メモリー２５内の画像データに施し、この画像データによって示される画像を記録紙に形成している。これにより、ユーザーの体調に応じて記録紙に形成された画像の色彩又はサイズが調節される。
【００３７】
また、血中酸素濃度は、個体、性別、年齢などにより差があるので、一時的な血中酸素濃度のみに基づきユーザーの体調を正確に推定するのは困難である。しかしながら、本実施形態では、今回のスタートキーの操作時に算出した血中酸素濃度とユーザーの以前の血中酸素濃度の平均値を比較しており、この平均値が個体、性別、年齢などによる差を反映したユーザーの標準的な値となるので、今回の算出した血中酸素濃度と平均値の比較に基づきユーザーの体調をより正確に推定することができる。
【００３８】
尚、上記実施形態では、ユーザーが、操作部２２又はタッチパネル２３を操作して、自己の識別情報ＩＤを入力しているが、ＩＤカードリーダーを画像形成装置１０に付設しておき、ＩＤカードリーダーがユーザーのＩＤカードから該ユーザーの識別情報ＩＤを読取るようにしても構わない。
【００３９】
あるいは、指紋センサーを、バイタルセンサー２７と共にスタートキーのキーキャップの下側に設けておき、スタートキーの操作に際し、指紋センサーがユーザーの識別情報としてユーザーの指紋を検出し、制御部３１が、その検出されたユーザーの指紋に基づき該ユーザーを識別できるようにしてもよい。この場合は、スタートキーの一度の操作により、画像形成の開始の指示、血中酸素濃度の検出、及びユーザーの識別という３つの処理が可能となる。
【００４０】
また、上記実施形態では、今回のスタートキーの操作時に算出した血中酸素濃度と以前の血中酸素濃度の平均値を比較して、その比較結果に応じた補正を画像メモリー２５内の画像データに施しているが、制御部３１は、今回のスタートキーの操作時に算出した血中酸素濃度が予め設定された閾値よりも低い場合に、ユーザーの体調が低下しているものとみなして、画像メモリー２５内の画像データを画像処理部２６に補正させても構わない。
＜変形例１＞
【００４１】
変形例１では、制御部３１は、スタートキーが操作される度に、バイタルセンサー２７の検出信号に基づきスタートキーを押えたユーザーの指先の血中酸素濃度を算出して、この血中酸素濃度を該ユーザーの識別情報ＩＤに対応付けて記憶部２８に記憶させる。そして、制御部３１は、操作部２２のスタートキーが再び操作されたときに、バイタルセンサー２７の検出信号に基づきユーザーの指先の血中酸素濃度を算出し、ユーザーの識別情報ＩＤに対応付けられている以前の血中酸素濃度を記憶部２８から読み出して、以前の血中酸素濃度及び今回のスタートキーの操作時に算出した血中酸素濃度の時系列の変化（これら血中酸素濃度の変化量）を算出し、この変化に応じた画像データの補正を画像処理部２６に指示する。画像処理部２６は、画像メモリー２５内の画像データに対してその変化に応じた補正を施す。画像形成部１２は、その補正された画像データによって示される画像を記録紙に形成する。
【００４２】
例えば、制御部３１は、血中酸素濃度が最近になって低下傾向にある場合は、ユーザーの体調が低下しているとみなして、画像の色相、明度、又は彩度を補正して、該画像を穏やかな印象のものとしたり、あるいは画像のサイズを大きくして、該画像を見易くしたりする。
＜変形例２＞
【００４３】
変形例２では、制御部３１は、スタートキーの操作に際し、バイタルセンサー２７の検出信号に基づきユーザーの指先の血中酸素濃度を算出し、またユーザーの年齢を入力又は判定して、その算出した血中酸素濃度とユーザーの年齢に応じた画像データの補正を画像処理部２６に指示する。
【００４４】
例えば、制御部３１は、年齢別に、年齢における標準的な血中酸素濃度を記憶部２８に予め記憶させておく。制御部３１は、入力又は判定した年齢における標準的な血中酸素濃度を記憶部２８から読み出し、ユーザーの指先の血中酸素濃度とその年齢における標準的な血中酸素濃度を比較し、この比較結果に応じた補正を画像処理部２６に指示する。画像処理部２６は、画像メモリー２５内の画像データに対してその補正を施す。制御部３１は、画像形成部１２に、その補正された画像データによって示される画像を記録紙に形成させる。
【００４５】
これにより、血中酸素濃度の年齢による差の影響を抑えて、画像を適確に補正することができる。
【００４６】
ユーザーの年齢は、ユーザーが操作部２２又はタッチパネル２３を操作することにより入力してもよい。制御部３１は、操作部２２又はタッチパネル２３の操作により入力されたユーザーの年齢を取得する。
【００４７】
あるいは、ＩＤカードリーダーを画像形成装置１０に付設しておき、ＩＤカードリーダーがユーザーのＩＤカードから該ユーザーの識別情報ＩＤ、年齢又は生年月日などを読取っても構わない。制御部３１は、ＩＤカードから読取られたユーザーの年齢を取得したり、ＩＤカードから読取られたユーザーの生年月日に基づき年齢を算出したりする。
【００４８】
また、指紋センサーを、バイタルセンサー２７と共にスタートキーのキーキャップの下側に設けておき、スタートキーの操作に際し、指紋センサーがユーザーの識別情報としてユーザーの指紋を検出し、制御部３１が、その検出されたユーザーの指紋に予め対応付けられた該ユーザーの年齢を取得するようにしてもよい。
【００４９】
また、撮像カメラを画像形成装置１０に付設しておき、制御部３１が、撮像カメラによりユーザーの顔画像を撮像させて、このユーザーの顔画像に基づきユーザーの年齢を制御部３１が判定するようにしてもよい。この顔画像に基づく人物の年齢の判定は、既知のＡＩ等を用いた方法により行うことができる。
＜変形例３＞
【００５０】
変形例３では、制御部３１は、スタートキーを押えているユーザーの指先の血中酸素濃度に応じた警告メッセージを表示部２１に表示させる。
【００５１】
例えば、制御部３１は、操作部２２のスタートキーが操作されたときに、バイタルセンサー２７の検出信号に基づきユーザーの指先の血中酸素濃度を算出し、この血中酸素濃度が予め設定された閾値よりも低い場合に、ユーザーの体調が低下している旨を示す警告メッセージを表示部２１に表示させる。
【００５２】
あるいは、制御部３１は、操作部２２のスタートキーが操作されたときに、バイタルセンサー２７の検出信号に基づきユーザーの指先の血中酸素濃度を算出し、またユーザーの識別情報ＩＤに対応付けられている以前の血中酸素濃度を記憶部２８から読み出し、今回の血中酸素濃度が以前の血中酸素濃度の平均値よりも低かったり、以前の血中酸素濃度及び今回の血中酸素濃度の時系列の変化を参照し、血中酸素濃度が最近になって低下傾向にあったりする場合に、警告メッセージを表示部２１に表示させる。
＜変形例４＞
【００５３】
変形例４では、制御部３１は、スタートキーを押えているユーザーの指先の血中酸素濃度に応じて表示部２１に表示されている画像を補正する。
【００５４】
例えば、制御部３１は、操作部２２のスタートキーが操作されたときに、バイタルセンサー２７の検出信号に基づきユーザーの指先の血中酸素濃度を算出し、この血中酸素濃度が予め設定された閾値よりも低い場合に、表示部２１に表示されている画像の色相、明度、又は彩度を制限して、該画像を穏やかな印象のものとしたり、あるいは画像のサイズを大きくして、該画像を見易くしたりする。
【００５５】
あるいは、制御部３１は、操作部２２のスタートキーが操作されたときに、バイタルセンサー２７の検出信号に基づきユーザーの指先の血中酸素濃度を算出し、またユーザーの識別情報ＩＤに対応付けられている以前の血中酸素濃度を記憶部２８から読み出し、今回の血中酸素濃度が以前の血中酸素濃度の平均値よりも低かったり、以前の血中酸素濃度及び今回の血中酸素濃度の時系列の変化を参照し、血中酸素濃度が最近になって低下傾向にあったりする場合に、表示部２１に表示されている画像の色相、明度、又は彩度を制限して、該画像を穏やかな印象のものとしたり、あるいは画像のサイズを大きくして、該画像を見易くしたりする。
【００５６】
尚、上記実施形態及び変形例では、画像形成装置（複合機）を用いて説明しているが、これは一例に過ぎず、コピー機、プリンター、ファクシミリ装置等の他の画像形成装置でもよい。
【００５７】
また、図１乃至図４を用いて説明した上記実施形態及び変形例の構成及び処理は、本発明の一例に過ぎず、本発明を当該構成及び処理に限定する趣旨ではない。
【符号の説明】
【００５８】
１０    画像形成装置
１１    画像読取部
１２    画像形成部
２１    表示部
２２    操作部
２３    タッチパネル
２５    画像メモリー
２６    画像処理部
２７    バイタルセンサー
２８    記憶部
２９    制御ユニット
３１    制御部
【図１】
2020166039.tif 000003
【図２】
2020166039.tif 000004
【図３】
2020166039.tif 000005
【図４】
2020166039.tif 000006